(57)【要約】【課題】  ワークに沿って前進移動させながら粘着テープを貼付けローラに供給し、この粘着テープをワークのテープ貼付け面に押圧して貼付けてゆく粘着テープ貼付け方法において、粘着テープから剥離されたセパレータに邪魔されることなく円滑に粘着テープ貼付けを行うことができるようにする。【解決手段】  セパレータ付きの粘着テープＴをテープ供給ローラ１０への巻回によって方向転換して貼付けローラ６に導くとともに、テープ供給ローラ１０のテープ巻回部位において粘着テープＴからセパレータｓｔを剥離し、剥離したセパレータｓｔを、テープ供給ローラ１０に対向して配備されたセパレータガイド１５によって横外方に案内する。【選択図】        図２
2006007967.tif 000002
【特許請求の範囲】
【請求項１】
ワークに沿って前進移動させながら粘着テープを貼付けローラに供給し、この粘着テープをワークのテープ貼付け面に押圧して貼付けてゆく粘着テープ貼付け方法であって、
セパレータ付きの前記粘着テープをテープ供給ローラへの巻回によって方向転換して前記貼付けローラに導くとともに、テープ供給ローラのテープ巻回部位において粘着テープからセパレータを剥離し、
当該剥離したセパレータを、テープ供給ローラに対向して配備されたセパレータガイドによって粘着テープの貼付け方向とは異なる方向に案内することを特徴とする粘着テープ貼付け方法。
【請求項２】
請求項１に記載の粘着テープ貼付け方法において、
前記テープ供給ローラとセパレータガイドとの間のテープ挿通間隔においては、粘着テープの一側縁の位置決めを行うとともに、粘着テープの他側縁方向へのテープ移動を許容しながら粘着テープを挿通移動させることを特徴とする粘着テープ貼付け方法。
【請求項３】
ワークに沿って前進移動させながら粘着テープを貼付けローラに供給し、この粘着テープをワークのテープ貼付け面に押圧して貼付けてゆく粘着テープ貼付け装置であって、
前記ワークのテープ貼付け面に沿って移動操作される本体に、ワークに係合して転動移動するガイドローラと、
供給された粘着テープをワークのテープ貼付け面に弾性押圧して貼り付ける貼付けローラと、
前記粘着テープを巻回案内して前記貼付けローラに導くテープ供給ローラと、
前記テープ供給ローラに対向して配備されたセパレータガイドと、
前記セパレータガイドに向けて粘着テープを繰り出す側に隣設配備されるテープ離脱防止用のテープガイドとを備え、
前記セパレータガイドには、テープ供給ローラのテープ巻回部位において粘着テープから剥離したセパレータを粘着テープ貼付け方向とは異なる方向に案内するセパレータ案内面を形成したこと特徴とする粘着テープ貼付け装置。
【請求項４】
請求項３に記載の粘着テープ貼付け装置において、
前記セパレータ案内面をテープ供給ローラに向かう凹入湾曲面に形成したことを特徴とする粘着テープ貼付け装置。
【請求項５】
請求項３または請求項４に記載の粘着テープ貼付け装置において、
前記テープ供給ローラと前記セパレータガイドの間、および当該セパレータガイドに隣設配備されたテープガイドによって形成されるテープ挿通間隔のテープ幅方向の一端を開放するとともに、前記テープ挿通間隔の奥端に、粘着テープの一端側縁受止め案内するテープ位置決め部を形成したことを特徴とする粘着テープ貼付け装置。
【請求項６】
請求項３ないし請求項５のいずれかに記載の粘着テープ貼付け装置において、
前記ガイドローラを、前記貼付けローラより前方位置においてワークのテープ貼付け面と交差する面を転動する単一の走行案内用のガイドローラと、
前後一対の前記貼付けローラに対向して前記テープ貼付け面と反対側からワークに係合する前後一対の姿勢保持用のガイドローラとで構成した
ことを特徴とする粘着テープ貼付け装置。
【請求項７】
請求項３ないし請求項６のいずれかに記載の粘着テープ貼付け装置において、
前記装置本体の上部に把持部を備えた
ことを特徴とする粘着テープ貼付け装置。
【発明の詳細な説明】
【技術分野】
【０００１】
この発明は、自動車におけるドアサッシュなどの屈曲したワークに粘着テープを貼り付け処理する場合などに利用する粘着テープ貼付け方法およびその装置に関する。
【背景技術】
【０００２】
近年、自動車の製造工程においては、ドアサッシュへの黒色塗装処理に代えて黒色の粘着テープを貼付ける技術が開発されており、手持ちした貼付け装置をワークに沿って案内移動させながら、テープ供給ローラで巻回案内した粘着テープを押圧ローラに供給して貼り付けてゆく手段が提案・実施されている（例えば、特許文献１参照）。
【特許文献１】特開２００１−３２８５７３号公報
【発明の開示】
【発明が解決しようとする課題】
【０００３】
係る粘着テープ貼付け装置ではセパレータ付きの粘着テープが使用されているのであるが、提案された上記粘着テープ貼付け装置においてはセパレータが粘着テープ貼付け装置の前部におけるテープ供給径路において自重で剥離するものとなっている。したがって、剥離したセパレータが粘着テープ貼付け装置の進行方向前部に移動してしまって邪魔になることがあり、そのセパレータを払い退ける操作のために粘着テープ貼付け操作への注意が散漫になったり、貼付け移動速度が低下して仕上がりの低下を招いたりすることなどがある。
【０００４】
この発明は、このような事情に鑑みてなされたものであって、剥離されたセパレータに邪魔されることなく円滑に粘着テープ貼付けを行うことができる粘着テープ貼付け方法およびその装置を提供することを主たる目的とする。
【課題を解決するための手段】
【０００５】
そこで、この発明は、このような目的を達成するために、次のような構成をとる。
【０００６】
すなわち、第１の発明は、ワークに沿って前進移動させながら粘着テープを貼付けローラに供給し、この粘着テープをワークのテープ貼付け面に押圧して貼付けてゆく粘着テープ貼付け方法であって、
セパレータ付きの前記粘着テープをテープ供給ローラへの巻回によって方向転換して前記貼付けローラに導くとともに、テープ供給ローラのテープ巻回部位において粘着テープからセパレータを剥離し、
当該剥離したセパレータを、テープ供給ローラに対向して配備されたセパレータガイドによって粘着テープの貼付け方向とは異なる方向に案内することを特徴とする。
【０００７】
（作用・効果）  上記貼付け方法によると、粘着テープがテープ供給ローラへの巻回によって方向転換されて貼付けローラに導かれるのに対して、セパレータは方向転換されることなくテープ巻回部位において剥離されてセパレータガイドに向けて移動し、そのセパレータ案内面に案内されて粘着テープの貼付け方向とは異なる方向に放出されてゆく。
【０００８】
したがって、この発明方法によると、剥離されたセパレータで邪魔されることなく粘着テープ貼付け装置を前進移動させることができる。したがって、邪魔なセパレータを払い退ける操作のために粘着テープ貼付けのための注意が散漫になったり、貼付け移動速度が低下してしまったりすることがなくなり、仕上がりの良い粘着テープ貼付け作業を能率よく行うことができる。
【０００９】
第２の発明は、第１の発明において、前記テープ供給ローラとセパレータガイドとの間のテープ挿通間隔においては、粘着テープの一側縁の位置決めを行うとともに、粘着テープの他側縁方向へのテープ移動を許容しながら粘着テープを挿通移動させることを特徴とする。
【００１０】
（作用・効果）  貼付けローラを所定姿勢に保ってワークに沿って移動させながら、テープ供給ローラを介して粘着テープを貼付けローラに案内供給することで、貼付けローラによって押圧された粘着テープがワークの直線状あるいは略直線状に連なるテープ貼付け面に連続して貼り付けられてゆく。この場合、テープ供給ローラとセパレータガイドとの間のテープ挿通間隙においては粘着テープの一側縁がテープ位置決め部に摺接案内されてテープ幅方向での位置決めがなされることになり、粘着テープはテープ貼付け面に対してテープ幅方向での位置ずれなく平行に貼り付けられてゆく。
【００１１】
貼付けが進行してテープ貼付け面が、例えば屈曲部位に至ると、ワークの屈曲に合わせて貼付けローラおよびテープ供給ローラの姿勢を変更することになる。ここで、粘着テープはワークにおけるテープ貼付け面の屈曲に合わせて予め屈曲形成されたものが使用されており、この粘着テープの屈曲部位がテープ供給ローラに巻回案内されることになる。
【００１２】
この場合、テープ供給ローラとセパレータガイドとの間に形成されているテープ挿通間隙は粘着テープを挟み持つほど狭いものではなく、テープ供給ローラから粘着テープを大きく離脱してしまわない程度に余裕をもって粘着テープの一側縁だけを摺接案内するものであり、しかも、テープ供給ローラ自体の表面滑性によって粘着テープはテープ供給ローラに巻回された状態でもテープ幅方向へは移動しやすい状態にある。このために粘着テープの屈曲部位がこのテープ挿通間隙では拘束されることなく自由に通過することになり、無理な案内によって粘着テープにシワが発生するようなことはない。
【００１３】
そして、テープ貼付け面の屈曲部位を通過して再び直線状あるいは略直線状のテープ貼付け面に至ると、再び貼付けローラをワークに対して所定姿勢に保ちながらワークに沿って移動させ、テープ挿通間隙において粘着テープの一側縁を位置決め摺接しながらのテープ供給が行われて貼付けが続行される。
【００１４】
したがって、特別に慎重な操作を要することなく、テープ貼付け面における屈曲部位での貼付けをシワなどの発生無く円滑容易に行うことができるとともに、剥離されたセパレータで邪魔されることなく粘着テープ貼付け装置を前進移動させることができる。
【００１５】
第３の発明は、ワークに沿って前進移動させながら粘着テープを貼付けローラに供給し、この粘着テープをワークのテープ貼付け面に押圧して貼付けてゆく粘着テープ貼付け装置であって、
前記ワークのテープ貼付け面に沿って移動操作される本体に、ワークに係合して転動移動するガイドローラと、
供給された粘着テープをワークのテープ貼付け面に弾性押圧して貼り付ける貼付けローラと、
前記粘着テープを巻回案内して前記貼付けローラに導くテープ供給ローラと、
前記テープ供給ローラに対向して配備されたセパレータガイドと、
前記セパレータガイドに向けて粘着テープを繰り出す側に隣設配備されるテープ離脱防止用のテープガイドとを備え、
前記セパレータガイドには、テープ供給ローラのテープ巻回部位において粘着テープから剥離したセパレータを粘着テープ貼付け方向とは異なる方向に案内するセパレータ案内面を形成したこと特徴とする。
【００１６】
（作用・効果）  上記構成によれば、ガイドローラによって粘着テープ貼付け装置をワークに対して所定の姿勢に保持した状態でワークに沿って走行させながら、テープ供給ローラを介して貼付けローラに供給された粘着テープをワークのテープ貼付け面に押圧して連続して貼り付けてゆくことができる。また、粘着テープがテープ供給ローラへの巻回によって方向転換されて貼付けローラに導かれるのに対して、セパレータは方向転換されることなくテープ巻回部位において剥離されてセパレータガイドに向けて移動し、そのセパレータ案内面に案内されて粘着テープの貼付け方向とは異なる方向に放出されてゆく。
【００１７】
したがって、この発明装置によると、前記第１の発明の粘着テープ貼付け方法を好適に実現することができる。
【００１８】
第４の発明は、上記第３の発明装置において、前記セパレータ案内面をテープ供給ローラに向かう凹入湾曲面に形成したことを特徴とするものである。
【００１９】
（作用・効果）  この構成によれば、剥離されたセパレータは凹入湾曲面したセパレータ案内面によって横外方後方に反転案内されることになり、剥離されたセパレータが装置前方に移動することが一層確実に回避されることになる。したがって、剥離されたセパレータで邪魔されることなく粘着テープ貼付け装置を前進移動させる上で一層有効となる。
【００２０】
第５の発明は、上記第３または第４の発明装置において、前記テープ供給ローラと前記セパレータガイドの間、および当該セパレータガイドに隣設配備されたテープガイドによって形成されるテープ挿通間隔のテープ幅方向の一端を開放するとともに、前記テープ挿通間隔の奥端に、粘着テープの一端側縁受止め案内するテープ位置決め部を形成したことを特徴とする。
【００２１】
（作用・効果）  テープ供給ローラとセパレータガイドの間、およびテープガイドによって形成されるテープ挿通間隙のテープ幅方向の一端を開放するとともに、テープ挿通間隙の奥端に、粘着テープの一側縁を受止め案内するテープ位置決め部を形成することにより、屈曲部位では粘着テープの屈曲部位をこのテープ挿通間隙で拘束されることなく自由に通過させることができる。したがって、上記第２の発明方法を好適に実現することができる。
【００２２】
第６の発明は、上記第３ないし第５の発明装置において、
前記ガイドローラを、前記貼付けローラより前方位置においてワークのテープ貼付け面と交差する面を転動する単一の走行案内用のガイドローラと、
前後一対の前記貼付けローラに対向して前記テープ貼付け面と反対側からワークに係合する前後一対の姿勢保持用のガイドローラとで構成した
ことを特徴とする。
【００２３】
（作用・効果）  この構成によれば、最前端の走行案内用のガイドローラから最後端の姿勢保持用のガイドローラまでの距離が短いものとなり、装置を前後方向にコンパクトなものにすることができ、片手で把持しての取扱いが容易なものとなる。
【００２４】
第７の発明は、上記第３ないし第５の発明装置において、前記装置本体の上部に把持部を備えたことを特徴とする。
【００２５】
（作用・効果）  この構成によれば、片手で把持部を把持しての取扱いが容易なものとなる。
【発明の効果】
【００２６】
この発明に係る粘着シート貼付け方法およびその装置によれば、上記貼付け方法によると、粘着テープがテープ供給ローラへの巻回によって方向転換されて貼付けローラに導かれるのに対して、セパレータは方向転換されることなくテープ巻回部位において剥離されてセパレータガイドに向けて移動し、そのセパレータ案内面に案内されて粘着テープとは反対方向に放出されてゆく。
【００２７】
したがって、この発明方法によると、剥離されたセパレータで邪魔されることなく粘着テープ貼付け装置を前進移動させることができる。したがって、邪魔なセパレータを払い退ける操作のために粘着テープ貼付けのための注意が散漫になったり、貼付け移動速度が低下してしまったりすることがなくなり、仕上がりの良い粘着テープ貼付け作業を能率よく行うことができる。
【発明を実施するための最良の形態】
【００２８】
以下、図面を参照して本発明の一実施例を説明する。
【００２９】
図１は本発明に係る粘着テープ貼付け装置Ａを用いて屈曲したワークＷに粘着テープＴを貼付ける行程の側面図、図２は粘着テープ貼付け装置Ａの外観斜視図、図３は粘着テープ貼付け装置Ａの側面図がそれぞれ示されている。また、この実施例の前記ワークＷは自動車におけるドアサッシュであり、その屈曲した側面に黒色塗装に代えて黒色の粘着テープを貼り付けるものである。
【００３０】
ワークＷは、図４中に示される断面形状を有する板金製の周枠部材を溶接連結して所望の中空断面形状に屈曲形成したものであり、その内周部には窓ガラス挿入溝ｍ1、外周部にはウエザストリップ装着溝ｍ2が形成され、これらを形成する略Ｔ字状周枠部ｆの外側面がテープ貼付け面Ｓとなっている。
【００３１】
粘着テープＴは、図１に示すように、ワークＷの屈曲したテープ貼付け面Ｓの幅よりも広幅のセパレータ付き粘着テープＴ（ｓｔ）が用いられ、テープ貼付け面Ｓの屈曲に合わせて予め屈曲形状に切り出されている。
【００３２】
粘着テープ貼付け装置Ａは、図２に示すように、ワークＷに係合案内されながらワーク長手方向に沿って手作業で走行移動されるものである。その本体１は、テープ貼付け移動方向に長い角棒状の第１ブラケット１ａ、上下に扁平な厚板状の第２ブラケット１ｂ、逆Ｌ形に屈曲形成された連結用の第３ブラケット１ｃ、および、縦壁状の第４ブラケット１ｄを順次ボルト連結して構成されている。第２ブラケット１ｂの上部には手持ちし易いように把持部１ｂ’が隆起形成されている。なお、以後の説明においては、便宜上、装置を貼付け移動させてゆく方向Ｘを前方、テープ貼付け面Ｓと直交する方向を横方向と呼称する。
【００３３】
第１ブラケット１ａの前部横側面には単一の走行案内用のガイドローラ２が若干傾斜した横軸心周りに遊転自在な装着されるとともに、第１ブラケット１ａの下面の後部には、前後一対の姿勢保持用のガイドローラ３が支持板４を介して縦軸心周りに遊転自在に装着されている。
【００３４】
走行案内用のガイドローラ２は滑動性に優れた硬質の樹脂材で形成されており、ワークＷにおけるウエザストリップ装着溝ｍ2の底面まで係入されことで、ウエザストリップ装着溝ｍ2に沿って案内走行される。姿勢保持用のガイドローラ３は比較的硬度の高いゴム材などの弾性樹脂材で形成されており、ウエザストリップ装着溝ｍ2の側枠部に背部から押圧接触されるようになっている。そして、これらガイドローラ２，３をワークＷの所定部位にそれぞれ押圧係合させることで、粘着テープ貼付け装置Ａを所定の貼付け姿勢でワークＷに係合案内するよう構成されている。なお、姿勢保持用ガイドローラ３は、図５および図６に示すように、支持板４に形成された前後複数の連結孔５に選択してねじ込み装着することで、その位置をワークＷに応じて変更調節することが可能となっている。
【００３５】
第２ブラケット１ｂの下面には、一対の姿勢保持用ガイドローラ３に略対向するように前後一対の貼付けローラ６が縦軸心周りに遊転自在に軸支されている。この貼付けローラ６は、固定芯軸７に遊転自在に外嵌された筒軸８にスポンジ状の弾性層９を被覆して構成されたものであり、粘着テープ貼付け装置ＡがワークＷに対して所定の姿勢に係合された状態で、貼付けローラ６の外周がワークＷのテープ貼付け面Ｓに適度に弾性変形しながら押圧されるようになっている。
【００３６】
第２ブラケット１ｂの横外端には下方に向かう第４ブラケット１ｄが連結されている。この第４ブラケット１ｄの前端部に、前方側の貼付けローラ６の横外側に位置するようにテープ供給ローラ１０が縦軸心周りに遊転自在に軸支されている。このテープ供給ローラ１０は滑動性に優れた硬質の樹脂材で形成されており、固定支軸１１に遊嵌支持されている。
【００３７】
また、第４ブラケット１ｄにおける横外側面の後側に硬質樹脂材からなるテープガイド１２が取付け固定されている。このテープガイド１２と第４ブラケット１ｄの横外側面との間には、上方に開放されたテープ挿通間隙ｃを形成されるとともに、図３に示すように、テープ挿通間隙ｃの下端にはテープ位置決め部１３が形成されており、テープ挿通間隙ｃに挿通された粘着テープＴの下方の側縁がテープ位置決め部１３に受止め支持されて、粘着テープＴの幅方向での位置決めが行われるようになっている。また、このテープ位置決め部１３のテープ入口側の角部は斜めに欠如されて傾斜案内面１４が形成されている。
【００３８】
また、第４ブラケット１ｄにおける横側外面の前側には硬質樹脂材からなるセパレータガイド１５が取付け固定されている。このセパレータガイド１５は、テープ供給ローラ１０の前方位置においてテープ供給ローラ１０に所定間隔をもって対向して配備されるとともにテープ供給ローラ１０より少し低く立設されており、その後面にはテープ供給ローラ１０に対向して凹入湾曲する縦長のセパレータ案内面１６が形成されている。
【００３９】
また、セパレータガイド１５の凹入湾曲したワーク側の端辺がテープ供給ローラ１０の回転軸心と略一致するように位置している。
【００４０】
本発明に係る粘着テープ貼付け装置Ａは以上のように構成されている。次に、上記実施例装置Ａを用いて、図１に沿って粘着テープ貼付け行程について説明する。
【００４１】
先ず、ワークＷにガイドローラ２，３群を介して所定の姿勢に係合させた粘着テープ貼付け装置Ａにセパレータ付きの粘着テープＴを挿通装填する。つまり、テープ挿通間隙ｃに挿通した粘着テープＴをテープ供給ローラ１０で案内して貼付けローラ６に導く。
【００４２】
次に、粘着テープＴの一端からセパレータｓｔを剥がして粘着面を露出させ、この粘着面をワークＷにおける貼付け面Ｓの一端に手作業で位置決めして貼付ける。この時、テープ供給ローラ１０のテープ巻回部位において粘着テープから剥離したセパレータｓｔをセパレータガイド１５のセパレータ案内面１６で案内して横外方に導いておく。
【００４３】
その後、粘着面の露出した粘着テープＴを貼付けローラ６で巻回して貼付け面Ｓに弾性的に押し付け、この状態で粘着テープ貼付け装置ＡをワークＷに沿って前方Ｘに走行移動させることで、粘着テープＴを位置決めしながらテープ貼付け面Ｓに連続的に貼付けてゆくことができる。
【００４４】
この場合、粘着テープ貼付け装置Ａを前進走行させると、粘着テープが相対的に前方に移動することでセパレータｓｔはセパレータガイド１５のセパレータ案内面１６で反転案内されて横外方後方に向けて送り出されてゆくことになり、剥離されたセパレータｓｔがワークＷに近づいて粘着テープ貼付け装置Ａの前進の邪魔になるようなことが未然に回避されている。
【００４５】
貼付けが進行してワークＷにおける屈曲部位ｐに至るとテープ貼付け面Ｓの前半の貼付けが終了し、ワークＷの屈曲に合わせて粘着テープ貼付け装置Ａの姿勢を変更することになる。この場合、粘着テープＴの屈曲部位がテープ供給ローラ１０とテープガイド１２との間に形成されているテープ挿通間隙ｃを通過することになるが、このテープ挿通間隙ｃはテープ厚さに比べて十分大きく、しかも、テープ供給ローラ１０自体の表面滑性によって粘着テープＴはテープ供給ローラ１０に巻回された状態でもテープ幅方向へは移動しやすい状態にある。このために粘着テープＴの屈曲部位がこのテープ挿通間隙ｃでは拘束されることなく自由に通過することになり、無理な案内によって粘着テープＴにシワが発生するようなことはない。また、粘着テープＴの屈曲部位がテープ挿通間隙ｃを通過する際に、粘着テープＴの側縁がテープ位置決め部１３のテープ導入側の角部に接触しても、この角部を傾斜案内面１４に形成してあるので、粘着テープＴが角部が引っ掛かったり抵抗になったりするようなことなく円滑に通過してゆく。
【００４６】
そして、テープ貼付け面Ｓの屈曲部位を通過して再び直線状あるいは略直線状のテープ貼付け面Ｓに至ると、再び粘着テープ貼付け装置ＡをワークＷに対して所定姿勢に保ちながらワークＷに沿って前方に移動させ、前半と同様に後半の貼付けが続行される。
【００４７】
なお、テープ貼付け面Ｓからはみだされたテープ部分は、後行程においてテープ貼付け面Ｓを有するＴ字状周枠部ｆの背部に巻き込んで貼付けられ、塗装処理したものと変わらぬ外観をもたらす。
【００４８】
また、異なった仕様のワークＷに対してはガイドローラ２，３の位置、および、貼付けローラ６の位置を調節する必要があり、これを可能にするために、第１ブラケット１ａは第３ブラケット１ｃに対して前後方向に位置調節可能に連結され、第２ガイドローラ３を取付けた支持板４は第１ブラケット１ａに対して横方向に位置調節可能に取付けられ、また、第２ブラケット１ｂは第３ブラケット１ｃに対して横方向に位置調節可能に連結されている。また、テープ幅の変更に対応してテープガイド１２を上下に位置調節してテープ位置決め部１３をテープ幅方向に位置調節することができるとともに、セパレータガイド１５もテープ幅の変更に対応して上下に位置調節できるようになっている。
【００４９】
この発明は、上記実施形態に限られることはなく、下記のように変形実施することができる。
【００５０】
（１）前記セパレータガイド１５のセパレータ案内面１６を、図７に示すように、凹入湾曲面と扁平面とを組み合わせた形状にしたり、あるいは、図８に示すように、セパレータ案内面１６全体を扁平傾斜面にしたりすることによっても、剥離したセパレータｓｔを粘着テープ貼付け装置Ａの前進の邪魔にならない横外方に導くことができる。
【００５１】
（２）  上述した実施例では、テープガイド１２とセパレータガイド１５とを別体で構成しているが、両者を一体化して実施することで部品点数を節減することができる。
【図面の簡単な説明】
【００５２】
【図１】本発明に係る粘着テープ貼付け装置を用いての貼付け処理状態を示す側面図である。
【図２】粘着テープ貼付け装置の外観斜視図である。
【図３】粘着テープ貼付け装置の一部を切り欠いた側面図である。
【図４】粘着テープ貼付け装置の一部を切り欠いた正面図である。
【図５】粘着テープ貼付け装置のワーク側から見た側面図である。
【図６】粘着テープ貼付け装置の要部の横断平面図である。
【図７】セパレータガイドの別実施例を示す横断平面図である。
【図８】セパレータガイドの別実施例を示す横断平面図である。
【符号の説明】
【００５３】
２  …  走行案内用ガイドローラ
３  …  姿勢保持用ガイドローラ
４  …  第３ガイドローラ
６  …  貼付けローラ
１０  …  テープ供給ローラ
１２  …  テープガイド
１５  …  セパレータガイド
１６  …  セパレータ案内面
Ｗ  …  ワーク
Ｔ  …  粘着テープ
Ｓ  …  貼付け面
ｓｔ  …  セパレータ
【図１】
2006007967.tif 000003
【図２】
2006007967.tif 000004
【図３】
2006007967.tif 000005
【図４】
2006007967.tif 000006
【図５】
2006007967.tif 000007
【図６】
2006007967.tif 000008
【図７】
2006007967.tif 000009
【図８】
2006007967.tif 000010